(57)【要約】【課題】  建物に設けられた設備機器の操作を、一箇所で集約的に管理して誰でも簡単に操作することができるようにし、将来的には機器の更新・交換や、増設にも容易に対応可能とする。【解決手段】  建物に設置された各種の設備機器を操作、管理あるいは監視等する複数のリモコン２が集約的に配置されるリモコン配列装置であって、壁面１０には凹部１０１が設けられ、凹部１０１内に複数のリモコン２が長手方向に列設されるとともに、これらの複数のリモコン２をスライド自在となるように一体的に保持するリモコンベース４を備えている。前面パネル５には、リモコン２を視認しうる開口扉５２が開閉自在に設けられ、開口扉５２を開閉するとともに、対象とする設備機器のリモコン２を、リモコンベース４をスライドさせて使用することができる。【選択図】  図４
2010010996.tif 000002
【特許請求の範囲】
【請求項１】
建物に設置された各種の設備機器を操作、管理あるいは監視等するための複数のリモコンが集約的に配置されるリモコンの配列構造であって、
壁面に設けられた凹部内に前記複数のリモコンが凹部の長手方向に列設されるとともに、これらの複数のリモコンを前記長手方向にスライド自在となるように一体的に保持するリモコンベースが備えられたことを特徴とするリモコンの配列構造。
【請求項２】
請求項１に記載のリモコンの配列構造において、
前記凹部の内側には長手方向に沿ってスライドレールが備えられ、このスライドレールにリモコンベースが配設されて、リモコンベースに保持されたリモコンがスライドレールに沿ってスライド自在となされたことを特徴とするリモコンの配列構造。
【請求項３】
請求項１又は２に記載のリモコンの配列構造において、
前記凹部は建物内部の壁面に高さ方向に長く形成され、リモコンベースに対して複数のリモコンが上下方向に列設されるとともに、当該リモコンベースおよびリモコンが上下方向にスライド自在であることを特徴とするリモコンの配列構造。
【請求項４】
請求項１〜３のいずれか一つの請求項に記載のリモコンの配列構造において、
前記リモコンベースは、同一モジュールにより形成された個別のホルダが前記凹部内のスライドレールに複数個配設されて構成され、これらの複数個の各ホルダには、リモコンがそれぞれ取り替え可能に取り付けられていることを特徴とするリモコンの配列構造。
【請求項５】
請求項１〜４のいずれか一つの請求項に記載のリモコンの配列構造において、
前記リモコンベースには、スライド操作するためのハンドルがリモコンベースに対して出没可能に設けられていることを特徴とするリモコンの配列構造。
【請求項６】
請求項１〜５のいずれか一つの請求項に記載のリモコンの配列構造において、
前記凹部には凹部前面を閉止する前面パネルが着脱可能に備えられるとともに、この前面パネルには内側に配列されているリモコンを視認しうる開口扉が開閉自在に設けられ、対象とする設備機器のリモコンを、前記リモコンベースをスライドさせて当該開口扉の背後に配置させるとともに、開口扉を開閉してリモコンを使用可能となされたことを特徴とするリモコンの配列構造。
【請求項７】
請求項６に記載のリモコンの配列構造において、
前記前面パネルには前記ハンドルに対応させたスリットが設けられており、ハンドルの出没動作およびスライド動作を許容しうることを特徴とするリモコンの配列構造。
【請求項８】
建物に設置された各種の設備機器を操作、管理あるいは監視等するための複数のリモコンを集約的に設置するリモコン配列装置であって、
建物の壁面に設けられた凹部内に、長手方向に沿って配設されるスライドレールを備え、スライドレールには前記複数のリモコンを一体的に保持するリモコンベースがスライド自在に配設され、このリモコンベースに前記リモコンが取り替え可能に配列されており、
前記凹部の前面には、凹部を閉止する着脱可能な前面パネルが備えられ、この前面パネルには内側に配列されているリモコンを視認しうる窓部を有する開口扉が開閉自在に設けられており、
前記リモコンベースをスライドさせて対象とする設備機器のリモコンを使いやすい位置に移動可能であるとともに、前記開口扉を開閉してリモコンを使用可能とされていることを特徴とするリモコン配列装置。
【発明の詳細な説明】
【技術分野】
【０００１】
本発明は、建物に設置された設備機器に接続するリモコンの配列構造およびリモコン配列装置に関する。
【背景技術】
【０００２】
従来、住宅などの建物においては、エアコンや床暖房等の冷暖房設備、照明機器、給湯器などを操作するためのリモコンやスイッチ類は、これらの設備が設置されている居室の壁面各所に、それぞれ分散して設けられているのが一般的である。また、家電機器についても機器本体に対する操作スイッチや専用のリモコン等が付属しており、居室内の適当な場所に置かれたり、付近の壁面に設置されたりしている。このように、設備機器に接続されたリモコン類は、居室内の様々な箇所に設けられたり置かれたりしているため、操作のために毎回それらのある場所まで移動したり、リモコンのある場所を探したりする不便さがあった。
【０００３】
そこで、住宅などにおいては、図５に示すように、キッチンやリビングなど人の集まりやすい場所の壁面９に、これらの複数のリモコン９１や操作パネル９２、インターホン９３などを一箇所にまとめて設置し、操作のための動線を集約するようにして利便性を高める例がある。しかしながら、このように壁面９の一箇所を凹設してリモコン類を集約して配置すると、壁面には、形状や大きさなどが異なったこれらのリモコン類がばらばらに配置されて露出しており、見栄えが悪く、雑然とした印象を与えてインテリアとしての美観を損なってしまうという欠点があった。
【０００４】
加えて、長年の使用を経て設備機器を交換する場合や新たに増設する場合には、壁面に設けられたリモコン類も交換したり増設したりする必要性が生じる。このような場合、リモコン類の大きさは新旧異なることが多く、新規のものに付け替えるとき、壁面設けられていた開口部やビス穴などが壁面に露出してしまい、これらを塞ぐ処理が必要となって手間がかかったり、壁面に新たな開口部を設けて設置工事を行う必要があったりした。また、壁面のリモコン類が設置されていた箇所が交換により露出すると、壁紙の汚れや色あせなどが目立ってしまうこともあり、より見栄えが悪くなったりするという不都合もあった。
【０００５】
従来、例えば特許文献１には、給湯器類とカメラ付きインターホンを一体的に構成し、一つの画面で給湯表示とテレビ映像表示とを表示できるようにして、台所で一括集中して操作を行うことのでき給湯装置が提案されている。この装置では、給湯器の操作やインターホンの操作等をタッチパネルの同一画面上で行い、台所での作業時の管理の集中化を図っている。
【特許文献１】特開２００１−１２７９６号公報
【発明の開示】
【発明が解決しようとする課題】
【０００６】
上記のような操作パネルの装置では、パネル上で操作できるようにする設備機器が、あらかじめ家庭内ネットワークに接続可能なものである必要があり、広く一般家庭で使用されている家電機器には対応できない場合もあり、導入できるケースが限定される。また、その操作も慣れない者にとっては難しく、さらに、設備機器の増設や更新には容易に対応できず、対応できる場合でも専門業者による新規の設定作業を必要とし、長期的な使用にかんがみても好ましくない。また、技術進歩の著しい設備機器において、製造メーカによって多様な製品が提供されており、将来、どのような機器が必要となってどのような機器を選択するかが不明な状況で、このような操作パネル上でネットワークを用いた管理形態では対応できないケースも多いと考えられる。
【０００７】
そこで本発明は、上記のような事情に対して、建物に設けられた複数の設備機器を、一箇所で集約的に管理して誰でも簡単に操作することができるようにし、将来的には設備機器およびリモコンの更新・交換や、増設にも容易に対応することができて、かつ室内の美観を向上させることのできるリモコンの配列構造およびリモコン配列装置を提供するものである。
【課題を解決するための手段】
【０００８】
上記した目的を達成するため、本発明は、建物に設置された各種の設備機器を操作、管理あるいは監視等するための複数のリモコンが集約的に配置されるリモコンの配列構造であって、壁面に設けられた凹部内に前記複数のリモコンが凹部の長手方向に列設されるとともに、これらの複数のリモコンを前記長手方向にスライド自在となるように一体的に保持するリモコンベースが備えられたことを特徴とする。
【０００９】
このような発明により、複数のリモコンを一箇所で集約的に配置して、操作、管理あるいは監視等することができ利便性が高められるとともに、長手方向に列設したリモコンを一体的に保持してスライド可能であるので、操作性も高めることができる。
【００１０】
また、本発明は、前記構成のリモコンの配列構造において、前記凹部の内側には長手方向に沿ってスライドレールが備えられ、このスライドレールにリモコンベースが配設されて、リモコンベースに保持されたリモコンがスライドレールに沿ってスライド自在となされたことを特徴とする。
【００１１】
これにより、簡易な構造でスライド可能なリモコンの設置形態を実現でき、リモコンを使用できる高さ位置に適宜、移動させることができる。
【００１２】
また、本発明は、前記構成のリモコンの配列構造において、前記凹部は建物内部の壁面に高さ方向に長く形成され、リモコンベースに対して複数のリモコンが上下方向に列設されるとともに、当該リモコンベースおよびリモコンが上下方向にスライド自在であることを特徴とする。
【００１３】
このような構成により、リモコンの設置個数が多くても、省スペースで操作性よく配置することができ、外観上も好ましいものとすることができる。
【００１４】
また、本発明は、前記構成のリモコンの配列構造において、前記リモコンベースは、同一モジュールにより形成された個別のホルダが前記凹部内のスライドレールに複数個配設されて構成され、これらの複数個の各ホルダには、リモコンがそれぞれ取り替え可能に取り付けられていることを特徴とする。
【００１５】
このような構成により、リモコンの大きさや形態にかかわらず設置することができ、リモコンベースを用いてリモコンの更新や増設にも容易に対応することができる。
【００１６】
また、本発明は、前記構成のリモコンの配列構造において、前記リモコンベースには、スライド操作するためのハンドルがリモコンベースに対して出没可能に設けられていることを特徴とする。
【００１７】
これにより、リモコンおよびリモコンベースのスライド操作を簡単に行うことができ、操作性よく、かつ利便性も高めることができる。
【００１８】
また、本発明は、前記構成のリモコンの配列構造において、前記凹部には凹部前面を閉止する前面パネルが着脱可能に備えられるとともに、この前面パネルには内側に配列されているリモコンを視認しうる開口扉が開閉自在に設けられ、対象とする設備機器のリモコンを、前記リモコンベースをスライドさせて当該開口扉の背後に配置させるとともに、開口扉を開閉してリモコンを使用可能となされたことを特徴とする。
【００１９】
このような構成により、複数個設置されたリモコンは、前面パネルで隠蔽されているため、室内の美観を損なうことがなく、また、操作時には開口扉を開閉して必要なリモコンにアクセスすることができる。また、開口扉はリモコンを視認可能に形成されているので、リモコンに直接操作を必要とせず、目視で管理または監視するだけであれば、開口扉を介して覗くだけで達成することができる。
【００２０】
また、本発明は、前記構成のリモコンの配列構造において、前記前面パネルには前記ハンドルに対応させたスリットが設けられており、ハンドルの出没動作およびスライド動作を許容しうることを特徴とする。
【００２１】
これにより、前面パネルが取り付けられた状態でハンドルの操作が可能となり、外観上をすっきりと納めつつ、操作性をよくすることができる。
【００２２】
また、本発明は、建物に設置された各種の設備機器を操作、管理あるいは監視等するための複数のリモコンを集約的に設置するリモコン配列装置であって、建物の壁面に設けられた凹部内に、長手方向に沿って配設されるスライドレールを備え、スライドレールには前記複数のリモコンを一体的に保持するリモコンベースがスライド自在に配設され、このリモコンベースに前記リモコンが取り替え可能に配列されており、前記凹部の前面には、凹部を閉止する着脱可能な前面パネルが備えられ、この前面パネルには内側に配列されているリモコンを視認しうる窓部を有する開口扉が開閉自在に設けられており、前記リモコンベースをスライドさせて対象とする設備機器のリモコンを使いやすい位置に移動可能であるとともに、前記開口扉を開閉してリモコンを使用可能とされていることを特徴とする。
【００２３】
このような発明によれば、複数のリモコンを一箇所で集約的に配置して、操作、管理あるいは監視等することができ利便性が高められるとともに、長手方向に列設したリモコンを一体的に保持してスライド可能であるので、操作性も高めることができる。また、複数個設置されたリモコンは、前面パネルで隠蔽されているため、雑然とした印象を与えず、室内の美観を高め、また、操作時には開口扉を開閉することで容易に必要なリモコンにアクセスすることができる。また、リモコンに直接操作を必要とせず、目視で管理または監視するだけであれば、開口扉の窓部からリモコンを視認して状態を把握することも可能である。
【００２４】
なお、上記のリモコンとしては、建物に設置された各種の設備機器を遠隔操作するリモコン装置だけでなく、動作運転状態を管理したり、あるいは監視したりする端末装置やモニタ類を備えたリモコンに類する機器も含む。
【発明の効果】
【００２５】
上述のように構成される本発明のリモコンの配列構造およびリモコン配列装置によれば、建物に設けられた複数の設備機器を、機器の種類や設置場所にかかわらず一箇所で集約的に管理して誰でも簡単に操作することができるようにし、将来的には設備機器やリモコンの更新・交換や、増設にも容易に対応することができて、その上で、室内の美観を向上させることも可能となる。
【００２６】
特に、通常の住宅などにおいて、複数の住宅設備機器が導入されて、同一箇所に複数のリモコンが集中して配置されることが好ましい場合に、美観を損なうことなく、また操作性を犠牲にすることなく、優れた配置形態を提供することができる。
【発明を実施するための最良の形態】
【００２７】
以下、本発明に係るリモコンの配列構造およびリモコン配列装置を実施するための最良の形態について、図面を参照しつつ説明する。
【００２８】
図１〜図４は本発明のリモコンの配列構造および配列装置の一例を示し、図１は分解斜視図、図２はリモコンベースの分解斜視図、図３は横断面図、図４は使用時の一例を示す斜視図である。
【００２９】
図１に示すように、本発明に係るリモコンの配列構造およびリモコン配列装置１は、建物に設置された各種の設備機器に対応する複数のリモコン２…２が集約的に配置されている。
【００３０】
制御対象とする設備機器には、設けられる建物により適宜選択されるが、例えば、エアコン、床暖房等の冷暖房設備機器、換気設備、インターホン、電気錠、防犯設備機器、給湯器、照明機器、および太陽光発電システムなどがあげられる。また、これらに対応させて設けられるリモコン２…２には、前記各設備機器を遠隔操作するリモコンだけでなく、動作運転状態を管理したり、あるいは監視したりする端末装置やモニタ類などのリモコンに類する機器も含む。
【００３１】
壁面１０には、高さ方向に長い凹部１０１が設けられている。凹部１０１の内側面には、長手方向に沿ってスライドレール３が備えられている。例示の形態では、スライドレール３は、向かって左右の両内側面に対向させて配設されている。スライドレール３には、溝型またはＣ型の溝形状を有するレール材が用いられ、内装下地に固定されている。
【００３２】
また、これらのスライドレール３には、リモコンベース４がスライド自在に配設されている。リモコンベース４は、各種の設備機器に対応するリモコン２を個々に保持するホルダ４１が複数個、高さ方向に並べて配設されて形成されている。そして、これらの複数個のホルダ４１は、スライドレール３に対して一体的にスライド可能となるように設けられている。
【００３３】
リモコンベース４は、例えば上下に昇降動作しうるように、ベアリング機構や油圧機構等を備え、小さな力でも容易にスライドさせることができるように構成されている。これにより、リモコンベース４に保持された各リモコン２は、スライドレール３に沿って上下方向にスライド自在であり、複数種類のリモコン２が一箇所に集中的に配置されて、かつ一体的に保持されている。
【００３４】
また、リモコンベース４の複数個のホルダ４１…４１は、それぞれ凹部１０１の幅に対応させて、リモコン２を保持しうる大きさに形成されており、また、いずれも同一の寸法を有してモジュール化されている。これにより、ホルダ４１の配設順序が限定されず、入れ替えや増設も容易に行えるようになっている。
【００３５】
例示の形態では、図１，２に示すように、壁面１０に内法寸法で２５０〜３００ｍｍの幅で高さ２５００ｍｍの凹部１０１を設け、ホルダ４１はそれぞれが上下方向の大きさｈを１５０〜２００ｍｍとして形成されている。
【００３６】
これらの複数個の各ホルダ４１には、リモコン２がそれぞれ取り替え可能に取り付けられる。図２に例示するように、リモコンベース４の各ホルダ４１は、フレーム４２と表面プレート４３とを備え、表面プレート４３にはリモコン２に接続するリモコンケーブル２１を挿通させる挿通孔４４が設けられている。表面プレート４３は止着具Ａを用いてフレーム４２に固定されている。
【００３７】
リモコン２は、リモコンベース４のいずれかのホルダ４１を選択して、表面プレート４３を取り外し、表面プレート４３に止着具等により固定されるとともに、リモコンケーブル２１を挿通孔４４に挿通させて、ホルダ４１に設置固定される。リモコンケーブル２１は、ホルダ４１のフレーム４２の背後に導出され、凹部１０１内に配線されて、各設備機器に接続されている。リモコンケーブル２１等の配線類が不要なリモコン２である場合は、そのままリモコン２をホルダ４１に固定することができる。
【００３８】
また、図１に示すように、凹部１０１には、凹部１０１の前面を閉止する前面パネル５が設けられている。前面パネル５は、凹部１０１内のリモコン２…２等のメンテナンス時には、取り外して内部にアクセスできるように、着脱可能とされている。
【００３９】
この前面パネル５には、使用者の立ち姿勢での目線の高さ（例えば、高さ方向の略中央部付近）を考慮して開口部５１が形成され、開口扉５２が設けられている。開口扉５２は、内側に配列されているリモコン２を視認しうる窓部５３を備え、前面パネル５に開閉自在に設けられている。開口扉５２の開閉方式は、片開き式のほか、跳ね上げ式、上げ下げ式など、どのような方式であってもよい。
【００４０】
さらに、前記リモコンベース４には、スライド操作するためのハンドル６が設けられている。ハンドル６は、ホルダ４１ごとに個別に設けられていてもよいが、図１に示すように、複数個のホルダ４１にまたがって、リモコンベース４の全体に対して一つのハンドル６が設けられていてもよい。
【００４１】
前面パネル５には、このようなハンドル６に対応させたスリット５４が長手方向に設けられている。これにより、前面パネル５が閉止された状態で、ハンドル６を握り、上下方向にスライドさせたとき、スリット５４によりハンドル６のスライド動作が許容されている。
【００４２】
また、かかるハンドル６は、スライド操作が必要のないときには不要となるため、リモコンベース４に対して出没可能に設けられていることが好ましい。
【００４３】
図３（ａ）に示すように、リモコン２を操作するときには、前面パネル５の開口扉５２を開けてリモコン２を露出させることができる。ハンドル６は、突出させた状態にある。図３（ｂ）では、開口扉５２の上方または下方を示し、前面パネル５が閉じられた状態であり、ハンドル６はこの前面パネル５のスリット５４を貫通して表面に突出している。図３（ｃ）では、ハンドル６を前面パネル５の背面側へ没入させた状態が示され、ハンドル６が前面パネル５の表面側に突出せずに隠蔽されているので、壁面１０に不要な出っ張りもなく、すっきりと納めることができる。
【００４４】
ハンドル６の出没機構は適宜であるが、例えば付勢手段を備えてハンドル６のプッシュ操作により突出するプッシュアップ形式や、あるいは係止手段を備えてハンドル６の引出し操作により突出状態に係止されるフック形式とすることができる。
【００４５】
このように、リモコンベース４において複数のリモコン２…２が上下方向に列設されるとともに、リモコンベース４とリモコン２…２が一体となって上下方向にスライド自在である。これにより、図４に示すように、開口扉５２を開け、ハンドル６を突出させてから、ハンドル６の操作によりリモコンベース４を上下方向にスライドさせて、対象とする設備機器のリモコン２を開口扉５２の開口位置に移動させ、この開口部５１から視認したり、操作したりすることができる。リモコン２の操作後は、ハンドル６を没入させ、開口扉５２を閉じればよく、開口扉５２の窓部５３から操作後のリモコン２を見て様子を確認することもできる。
【００４６】
リモコン２…２の配置形態は、居住者の好みや操作頻度に応じて選択可能であり、高さ方向の中央部に使用頻度の高いリモコン２を設置し、上下端部に近いほど使用頻度の低いリモコン２を設置するとよい。図１において説明すると、例えば上から順に、太陽光発電システムの監視モニタ、インターホン、電気錠、エアコン、床暖房設備、給湯器、などというように配列される。これにより、頻繁に視認したり操作したりするリモコン２を開口扉５２の窓部５３を通して常時見えるようにしておくことができ、スライド操作を必要とせず、より利便性が高められる。また、最下端には予備のホルダ４１を設けてあってもよい。
【００４７】
各リモコン２のリモコンケーブル２１は、壁面１０の凹部１０１を配線空間として配設されて各設備機器に接続されており、前面パネル５により凹部１０１が閉止されることで隠蔽保護されている。したがって、居室にこのように多数のリモコン２が一箇所に集約して配置されていても、前面パネル５で覆われて露出していないため、雑然とした印象がまったくなく、非常にすっきりとした外観を形成することができる。
【００４８】
また、将来、新規設備の導入や増設があった場合には、前面パネル５を取り外してリモコン２を設置したり取り替えたりすることで、容易に対応することができる。リモコン２の増設に際しては、予備のホルダ４１を利用したり、ホルダ４１の個数を増やしたりすることで対応することできる。また、各ホルダ４１は同一モジュールにより形成されているので、リモコン２の大きさが大きい場合には、複数のホルダ４１にまたがって配置させることも可能である。よって、建物に設置される設備機器の種類や用途に限らず、またリモコン２の形状や大きさに限らず、どのような場合にも対応でき、操作性、メンテナンス性、および意匠性のいずれにも優れたものとすることができる。
【００４９】
なお、本発明は上記形態に限定されることなく、他の様々な形態も可能であり、高さ方向の配置形態だけでなく、水平方向の配置形態であってもよい。また、各部の構造についても同様に、リモコンをスライド自在に保持するリモコンベースの構造やスライド機構、また、リモコンベースの形状、ホルダの個数等も上記に限定されず、どのような形態であってもよい。
【産業上の利用可能性】
【００５０】
本発明は、建物に設けられる設備機器の動作制御および操作を一箇所で集約的に行うのに好適に利用することができる。
【図面の簡単な説明】
【００５１】
【図１】本発明のリモコンの配列構造およびリモコン配列装置の一例を示す分解斜視図である。
【図２】本発明におけるリモコンベースの分解斜視図である。
【図３】本発明に係るリモコン配列装置における横断面図であり、（ａ）は開口扉を開けた状態を示し、（ｂ）は開口扉のない部分におけるハンドルの突出状態を示し、（ｃ）は開口扉を閉じた状態でハンドルが没入した形態を示す。
【図４】本発明において、リモコン使用時の一例を示す斜視図である。
【図５】従来のリモコン設置壁面を示す説明図である。
【符号の説明】
【００５２】
１    リモコン配列装置
２    リモコン
３    スライドレール
４    リモコンベース
４１  ホルダ
５    前面パネル
５２  開口扉
５３  窓部
５４  スリット
６    ハンドル
１０  壁面
１０１  凹部
【図１】
2010010996.tif 000003
【図２】
2010010996.tif 000004
【図３】
2010010996.tif 000005
【図４】
2010010996.tif 000006
【図５】
2010010996.tif 000007